(57)【要約】【課題】出入口の扉を開いた際、及び、搭乗者を乗せてエレベータかごを昇降する際にエレベータかご内の除菌効果の低下を抑制する。【解決手段】エレベータかご内除菌装置２は、静電霧化により帯電微粒子液を発生させる静電霧化手段３と、この静電霧化手段３で発生された帯電微粒子水をエレベータかご１内に放出する排気口４と、静電霧化手段３へと送風する空気を前記エレベータかご１内から吸引する吸気口５とを備える。エレベータかご１の出入口１２が設けられた壁面１３以外の壁面１４上方の天井１１部位に排気口４と前記吸気口５とを設ける。排気口４から出入口１２が設けられた壁面１３以外の壁面１４に沿って帯電微粒子液を含んだ空気が下方に放出され、この帯電微粒子水を含んだ空気が上方の前記吸気口５へと吸引されることで、この帯電微粒子水を含んだ空気がエレベータかご１内を循環するようにした。【選択図】図１
2012071914.tif 000002
【特許請求の範囲】
【請求項１】
静電霧化により帯電微粒子液を発生させる静電霧化手段と、この静電霧化手段で発生された帯電微粒子水をエレベータかご内に放出する排気口と、前記静電霧化手段へと送風する空気を前記エレベータかご内から吸引する吸気口と、を備えたエレベータかご内除菌装置であって、前記エレベータかごの出入口が設けられた壁面以外の壁面上方の天井部位に前記排気口と前記吸気口とを設け、前記排気口から前記出入口が設けられた壁面以外の壁面に沿って前記帯電微粒子液を含んだ空気が下方に放出され、この帯電微粒子水を含んだ空気が上方の前記吸気口へと吸引されることで、この帯電微粒子水を含んだ空気が前記エレベータかご内を循環するようにしたことを特徴とするエレベータかご内除菌装置。
【請求項２】
前記静電霧化手段が、霧化電極に供給された水を静電霧化して帯電微粒子水を生成するものであることを特徴とする請求項１記載のエレベータかご内除菌装置。
【請求項３】
前記排気口と前記吸気口とを前記出入口が設けられた壁面と対向する奥側の壁面に沿って隣接配設したことを特徴とする請求項１又は請求項２記載のエレベータかご内除菌装置。
【請求項４】
前記出入口が設けられた壁面以外の壁面に沿ってその巾方向の中程の部位で前記排気口と前記吸気口とを隣接配置したことを特徴とする請求項１乃至請求項３のいずれか一項に記載のエレベータかご内除菌装置。
【発明の詳細な説明】
【技術分野】
【０００１】
本発明は、エレベータかご内除菌装置に関する。
【背景技術】
【０００２】
特許文献１は、エレベータかご内を除菌する技術を開示している。
【０００３】
特許文献１は、エレベータかごの天井にイオン発生装置と送風装置を配置している。このイオン発生装置は、内部電極と外部電極の間に正電圧と負電圧からなる高圧パルス電圧を印加し、プラズマ放電を起こすことで外部電極の周囲空気をイオン化して略同数の正イオンと負イオンを発生するものである。
【０００４】
特許文献１は、送風装置を駆動して天井に設けた吸気口から空気を吸気して天井に設けた開口部からエレベータかご内に送風すると共に、イオン発生装置で発生させた正負イオンを送風にのせて開口部からエレベータかご内に放出するように動作する。
【０００５】
このように、プラズマ放電で外部電極の周囲空気をイオン化して生成した正負イオンをエレベータかご内に放出することで、エレベータかご内の浮遊菌等の不活性化をしている。
【先行技術文献】
【特許文献】
【０００６】
【特許文献１】特開２００４−９９２０５号公報
【発明の概要】
【発明が解決しようとする課題】
【０００７】
しかしながら、上記特許文献１に示された従来例は、イオン発生装置と送風装置をエレベータかごの出入口を設けた壁面の直上の天井部位に配置し、正負イオンを放出する開口部が出入口の真上の天井部分に開口している。
【０００８】
このため、出入口の扉が開くと、天井に設けた開口部から正負イオンをエレベータかご内に放出しても、出入口から外に逃げ易い。特に、出入口の扉が開き、エレベータかご内から人が外（エレベータ乗り場）に出る際、外に出る人の動きに伴ってエレベータかご内から外に向けてわずかな空気の流れが生じ、この空気の流れに乗って正負イオンが外に逃げ易い。
【０００９】
このように従来は、出入口の扉が開く毎に、出入口から正負イオンが逃げるという問題がある。
【００１０】
ところで、エレベータかご内の除菌は、特に出入口の扉を開いて搭乗者が出入りする際、及び、扉を閉じて直ぐに搭乗者を乗せてエレベータかごを昇降する際にエレベータかご内を除菌することが重要である。
【００１１】
しかしながら、従来は、前述のように出入口の扉が開く毎に、出入口から正負イオンが逃げるので、エレベータかご内に滞留する正負イオンが少なくなり、搭乗者が出入りする際、及び、搭乗者を乗せてエレベータかごを昇降する際における除菌効果が低下する。
【００１２】
本発明は上記の点に鑑みて発明したものであって、出入口の扉を開けて搭乗者が出入りする際、及び、搭乗者を乗せてエレベータかごを昇降する際におけるエレベータかご内の除菌効果の低下を抑制できるエレベータかご内除菌装置を提供するにある。
【課題を解決するための手段】
【００１３】
本発明のエレベータかご内除菌装置は、静電霧化により帯電微粒子液を発生させる静電霧化手段と、この静電霧化手段で発生された帯電微粒子水をエレベータかご内に放出する排気口と、前記静電霧化手段へと送風する空気を前記エレベータかご内から吸引する吸気口と、を備えたエレベータかご内除菌装置であって、前記エレベータかごの出入口が設けられた壁面以外の壁面上方の天井部位に前記排気口と前記吸気口とを設け、前記排気口から前記出入口が設けられた壁面以外の壁面に沿って前記帯電微粒子液を含んだ空気が下方に放出され、この帯電微粒子水を含んだ空気が上方の前記吸気口へと吸引されることで、この帯電微粒子水を含んだ空気が前記エレベータかご内を循環するようにしたことを特徴とする。
【００１４】
また、前記静電霧化手段が、霧化電極に供給された水を静電霧化して帯電微粒子水を生成するものであることが好ましい。
【００１５】
また、前記排気口と前記吸気口とを前記出入口が設けられた壁面と対向する奥側の壁面に沿って隣接配設することが好ましい。
【００１６】
また、前記出入口が設けられた壁面以外の壁面に沿ってその巾方向の中程の部位で前記排気口と前記吸気口とを隣接配置することが好ましい。
【発明の効果】
【００１７】
本発明は、出入口の扉を開け際に帯電微粒子水が出入口から外に逃げ難くなり、この結果、搭乗者が出入りする際、及び、扉を閉じて直ぐに搭乗者を乗せてエレベータかごを昇降する際における帯電微粒子水によるエレベータかご内の除菌効果の低下を抑制できる。
【図面の簡単な説明】
【００１８】
【図１】本発明の一実施形態の概略斜視図である。
【図２】同上の図１のＸ−Ｘ線断面図である。
【図３】同上の図１のＹ−Ｙ線断面図である。
【図４】同上の平面図である。
【図５】同上に用いる静電霧化手段の概略構成図である。
【図６】同上の循環空気の流れを示す正面図である。
【図７】同上の循環空気の流れを示す側面図である。
【図８】本発明の他の実施形態の平面図である。
【図９】本発明の更に他の実施形態の平面図である。
【図１０】本発明の更に他の実施形態の平面図である。
【図１１】本発明の更に他の実施形態の平面図である。
【発明を実施するための形態】
【００１９】
以下、本発明を添付図面に示す実施形態に基づいて説明する。
【００２０】
図１、図１乃至図７は一実施形態を示す。図１に示すように、エレベータかご１は、エレベータかご１内を除菌するエレベータかご内除菌装置２を備えている。
【００２１】
エレベータかご内除菌装置２は、図２に示すように、液体を静電霧化して帯電微粒子液を発生させる静電霧化手段３と、この静電霧化手段３で発生された帯電微粒子水をエレベータかご１内に放出する排気口４と、静電霧化手段３へと送風する空気をエレベータかご１内から吸引する吸気口５を備えている。
【００２２】
図２の実施形態においてエレベータかご内除菌装置２は、送風流路６を設けたハウジング７の下面に排気口４と吸気口５を有するグリル８を設け、送風流路６内に吸気口５から排気口４側にかけ順に送風ファン９、脱臭フィルタ１０、静電霧化手段３を配設している。
【００２３】
なお、本実施形態において、静電霧化手段３、送風ファン９を制御する制御部をハウジング７の送風流路６を設けた部分以外の部分に内装している。
【００２４】
静電霧化手段３は、液体供給手段により霧化電極１５に供給した液体に高電圧を印加することで、液体を静電霧化して活性種をナノメータサイズの帯電微粒子液を生成するようになっている。
【００２５】
図５にはその一例を示し、液体供給手段として、空気中の水分を結露水として生成して霧化電極１５に供給する例を示している。以下液体として水を例として説明し、同様に帯電微粒子液として帯電微粒子水を例として説明する。
【００２６】
すなわち静電霧化手段３は、霧化電極１５と、空気中の水分を結露水として生成することで霧化電極１５に水を供給するための冷却部１６と、供給した結露水を静電霧化するために霧化電極１５に高電圧を印加するための高電圧印加部１７とを備えている。
【００２７】
図５に示す実施形態においてはペルチェユニットのような熱交換器１８の冷却部１６により空気中の水分を冷却して結露水を生成することで霧化電極１５に水を供給するようになっている。
【００２８】
図５には熱交換器１８としてペルチェユニットの例を示している。ペルチェユニットは熱伝導性の高いアルミナや窒化アルミニウムからなる絶縁板の片面側に回路を形成してある一対のペルチェ回路板１９を、互いの回路が向き合うように対向させ、多数列設してある熱電素子２０を両ペルチェ回路板１９間で挟持すると共に隣接する熱電素子２０同士を両側の回路で電気的に接続して構成している。
【００２９】
そして熱電素子２０への通電により一方のペルチェ回路板１９側から他方のペルチェ回路板１９側に向けて熱が移動するように構成している。
【００３０】
一方の側のペルチェ回路板１９の外側には冷却部１６を接続し、また、他方の側のペルチェ回路板１９の外側には放熱部２６を接続している。実施形態では放熱部２６として放熱フィンの例を示している。ペルチェユニットの冷却部１６には霧化電極１５の後端部を接続している。
【００３１】
霧化電極１５は絶縁材料からなる筒体２１で囲まれており、筒体２１の周壁には筒体２１内外を連通する開口２２が設けている。また、筒体２１の先端開口部にリング状をした対向電極２３を配設し、霧化電極１５の軸心の延長線上にリング状の対向電極２３のリングの中心が位置するように霧化電極１５と対向電極２３とが対向している。なお、本発明においては対向電極２３を設けないものも含む。
【００３２】
上記静電霧化手段３は、ペルチェユニットに通電することで、冷却部１６を冷却し、冷却部１６を冷却することで霧化電極１５を冷却し、空気中の水分を結露して霧化電極１５に水（結露水）を供給するようになっている。
【００３３】
このように霧化電極１５に水が供給された状態で上記霧化電極１５と対向電極２３との間に高電圧を印加すると、霧化電極１５と対向電極２３との間にかけられた高電圧により霧化電極１５の先端部に供給された水と対向電極２３との間にクーロン力が働き、水の液面が局所的に錐状に盛り上がる。
【００３４】
このように水の液面が錐状に盛り上がってテーラーコーンを形成すると、該テーラーコーンの先端に電荷が集中してこの部分における電界強度が大きくなって、これによりこの部分に生じるクーロン力が大きくなり、更にテーラーコーンが成長する。
【００３５】
このようにテーラーコーンが成長し該テーラーコーンの先端に電荷が集中して電荷の密度が高密度となると、テーラーコーンの先端部分の水が大きなエネルギー（高密度となった電荷の反発力）を受け、表面張力を超えて分裂・飛散（レイリー分裂）を繰り返して活性種を含むマイナス又はプラスに帯電したナノメータサイズの帯電微粒子水を大量に生成させて筒体２１の先端開口部から送風流路６内に放出するように構成している。
【００３６】
前記構成のエレベータかご内除菌装置２は、エレベータかご１の天井１１部位に配置する。
【００３７】
本実施形態においては、天井１１に設けた孔にエレベータかご内除菌装置２を嵌め込み、エレベータかご内除菌装置２の大部分を天井１１の上方に配設し、天井１１下面においてグリル８部分のみがエレベータかご１内に露出するように配置する。
【００３８】
これにより、グリル８に設けた排気口４と吸気口５が天井１１の下面側においてエレベータかご１内に開口する。
【００３９】
また、排気口４と吸気口５は、出入口１２が設けられた壁面１３以外の壁面１４に沿ってその巾方向の中程の部位の上方の天井１１部位に隣接配置するのが好ましい。
【００４０】
本実施形態では、図１、図３、図４に示すように、エレベータかご１の出入口１２が設けられた壁面１３と対向する奥側の壁面１４の上方の天井１１部位に排気口４と吸気口５を設けている。
【００４１】
また、この実施形態では、図１、図２、図４に示すように、奥側の壁面１４の巾方向の中程の部位の上方の天井１１部位に排気口４と吸気口５を奥側の壁面１４に沿って隣接配置している。
【００４２】
エレベータかご１の前記出入口１２が設けられた壁面１３又はそれ以外の壁面１４のいずれかに静電霧化手段３を操作するための操作部２４を設けている。
【００４３】
操作部２４を操作して静電霧化手段３をオンにすると、ペルチェユニットに通電して冷却部１６により霧化電極１５を冷却し、空気中の水分を結露して霧化電極１５に水（結露水）を供給する。
【００４４】
この霧化電極１５に供給された水に高電圧を印加して静電霧化することで活性種を含むナノメータサイズの帯電微粒子水を大量に生成し、送風流路６内に放出する。
【００４５】
このような帯電微粒子水の生成と同時に送風ファン９を駆動し、吸気口５からエレベータかご１内の空気を送風流路６に吸い込み、送風流路６内に放出された帯電微粒子水を含んだ空気を排気口４からエレベータかご１内に放出する。
【００４６】
排気口４から下方に放出された帯電微粒子水を含んだ空気は、排気口４を出入口１２が設けられた壁面１３と対向する奥側の壁面１４上方の天井１１部位に設けてあるので、排気口４の下方の壁面１４に沿ってエレベータかご１の下部に流れる。
【００４７】
また、エレベータかご１の下部の帯電微粒子水を含んだ空気は、出入口１２が設けられた壁面１３と対向する奥側の壁面１４に沿って上方に流れて該壁面１４の上方の吸気口５から送風流路６内に吸引される。
【００４８】
送風流路６に吸引された空気は、帯電微粒子水が放出される部分に供給され、帯電微粒子水を含んだ空気が再び排気口４から、出入口１２が設けられた壁面１３と対向する奥側の壁面１４に沿ってエレベータかご１の下部の下部に流れる。
【００４９】
このようにして送風流路６を介してエレベータかご１内を循環する帯電微粒子水を含んだ空気の循環流が形成される。
【００５０】
この帯電微粒子水を含んだ空気の循環流は図６、図７の矢印のようにエレベータかご１内を流れることになる。
【００５１】
放出された帯電微粒子水は既に述べたように活性種を含んでいるので、エレベータかご１内を浮遊する細菌やウイルスを不活性化する効果（これを除菌効果と称する）があり、また、脱臭効果、花粉を不活性化する効果等がある。
【００５２】
既に述べたように、エレベータかご１内の除菌はエレベータかごに搭乗者がいない時に内部を除菌するだけでなく、出入口１２の扉２７を開いて搭乗者が出入りする際、及び、搭乗者を乗せてエレベータかご１を昇降する際にも内部を効果的に除菌することが重要である。
【００５３】
ここで、帯電微粒子水を含んだ空気は前述のように出入口１２から離れた壁面１４に沿って循環するので、エレベータかご１の出入口１２に設けた扉２７を開いても帯電微粒子水が出入口１２から外（乗り場）に流出し難くなる。
【００５４】
また、出入口１２の扉２７が開き、エレベータかご１内から搭乗者が外に出る際に、エレベータかご１内から外に向けてわずかに空気流が生じるが、前記のように出入口１２から離れたところで循環流が形成されるので、搭乗者が外に出る際も帯電微粒子水が外に逃げ難い。
【００５５】
この結果、出入口１２の扉２７が開いて搭乗者が出入りしている間におけるエレベータかご１内における帯電微粒子水の浮遊量の減少を抑制でき、帯電電微粒子水によるエレベータかご１内の除菌効果、脱臭効果の低下を抑制できる。
【００５６】
したがって、出入口１２の扉２７を開いて搭乗者がエレベータかご１内に入いる際に搭乗者と共にエレベータかご１内に侵入する細菌やウイルスに対して、エレベータかご１内を浮遊する十分な量の帯電微粒子水により侵入と同時に効果的に除菌、脱臭ができる。
【００５７】
同様に、出入口１２の扉２７を閉じてエレベータかご１を昇降している間も、出入口１２の扉２７を閉じた直後であるといえども、エレベータかご１内を十分な量の帯電微粒子水が浮遊しているので、効果的に除菌、脱臭ができる。
【００５８】
また、天井１１に設けた排気口４から放出された帯電微粒子水を含む空気が出入口１２と対向する壁面１４に沿って下方に流れる際、該空気は壁面１４に沿いながら次第に下広がりになって下降し、これに伴い、帯電微粒子水も次第に下広がりに分散しながら下降し、一部は空気流から離れてエレベータかご１内を浮遊する。
【００５９】
一方、エレベータかご１の下部の空気は、出入口１２が設けられた壁面１３と対向する奥側の壁面１４に沿って下から上に向けて次第に奥側の壁面１４側に集めながら吸気口５に吸引されるので、エレベータかご１内の空気の循環が効果的に行われる。
【００６０】
したがって、エレベータかご内除菌装置２の運転中、エレベータかご１内は帯電微粒子水が隅々まで飛翔する状態を維持できる。
【００６１】
ここで、奥側の壁面１４に沿って下降する空気流は、床面付近での流速をほぼゼロに近い流速にしてもよい。
【００６２】
このようにすることで、奥側の壁面１４に沿って下降する空気流に乗って下方に移送された帯電微粒子水が床面に当たって付着する量を減らし、エレベータかご１内を浮遊する量を増大し、除菌効果や脱臭効果を向上できる。
【００６３】
また、図２に示すように、送風流路６内に脱臭フィルタ１０を配置することで、吸気口５から送風流路６内に吸引した空気を、この脱臭フィルタ１０によっても脱臭することができ、脱臭効果がより向上する。
【００６４】
ここで、脱臭フィルタ１０を静電霧化手段３よりも上流側に配置しているので、静電霧化手段３で生成した帯電微粒子水のラジカルは、清浄な空気に含まれて排気口４からエレベータかご１内に放出されることになる。
【００６５】
この結果、帯電微粒子水に含まれたラジカルが未反応の状態で排気口４からエレベータかご１内に放出されて、エレベータかご１内を浮遊しながら細菌や臭気と反応して不活性化することになり、エレベータかご１内における除菌効果や脱臭効果がより向上する。
【００６６】
なお、操作部２４をオンすることで、エレベータかご内除菌装置２を連続運転し、オフすることで、連続運転を停止するようにしてもよいが、操作部２４をオンすることで、エレベータかご内除菌装置２を一定時間運転し、その後自動的に所定時間運転を停止し、その後、再び一定時間運転するということを交互に繰り返すような間欠運転をおこなってもよい。
【００６７】
間欠運転の例としては、例えば３０分運転し、その後、１時間運転停止をし、これを交互に繰り返す例を例示できるが、必ずしもこれにのみ限定されるものではない。
【００６８】
前記実施形態では、エレベータかご１の一壁面１３に出入口１２を設け、この出入口１２を設けた壁面１３と対向する奥側の壁面１４の上方の天井１１部位に排気口４と吸気口５を設けた例を示したが必ずしもこれにのみ限定されるものではない。
【００６９】
図８は他の実施形態を示す。
【００７０】
本実施形態は、エレベータかご１の一壁面１３に出入口１２を設け、この出入口１２を設けた壁面１３に隣接する両壁面１４のうち一方の壁面１４の上方の天井１１部位に排気口４と吸気口５を設けている。
【００７１】
本実施形態においても、前述の実施形態と同じく出入口１２から帯電微粒子水が外に逃げるのを抑制し、搭乗者が出入りする際、及び、搭乗者を乗せてエレベータかご１を昇降する際における帯電微粒子水によるエレベータかご１内の除菌効果の低下を抑制できる。
【００７２】
また、本実施形態では、出入口１２を設けた壁面１３に隣接する一壁面１４に沿ってその巾方向の中程の部位、又は巾方向の両側寄りに排気口４と吸気口５を配置する。この場合、排気口４を出入口１２から離れる側に配置するとともに吸気口５を出入口１２に近い側に配置するのが好ましい。
【００７３】
これにより、排気口４から放出する空気に含ませた帯電微粒子水を出入口１２から外に逃げ難くし、エレベータかご１内の隅々まで帯電微粒子水を浮遊させることができる。
【００７４】
また、図９は更に他の実施形態を示す。
【００７５】
本実施形態は、エレベータかご１の一壁面１３に出入口１２を設け、出入口１２を設けた壁面１３に隣接する両壁面１４のうち一方の壁面１４の上方の天井１１部位に排気口４を設け、両壁面１４のうち他方の壁面１４の上方の天井１１部位に吸気口５を設けている。本実施形態では排気口４、静電霧化手段３、送風ファン９等を備えたハウジング７から吸気口５を分離し、吸気口５と排気口４とを送風流路６の一部を構成するダクトにより連通接続している。
【００７６】
本実施形態においても、前述の実施形態と同じく出入口１２から帯電微粒子水が外に逃げるのを抑制し、搭乗者が出入りする際、及び、搭乗者を乗せてエレベータかご１を昇降する際における帯電微粒子水によるエレベータかご１内の除菌効果の低下を抑制できる。
【００７７】
図１０、図１１はそれぞれ更に他の実施形態を示す。
【００７８】
この図１０、図１１示す本実施形態は、エレベータかご１の２壁面に出入口１２を設けた例であり、出入口１２を設けた２壁面１３以外の壁面１４上方の天井１１部位に排気口４と吸気口５を設けている。
【００７９】
図１０はエレベータかご１の対向する２壁面１３にそれぞれ出入口１２を設け、出入口１２を設けた壁面１３以外の２壁面のうち一壁面１４上方の天井１１部位に排気口４と吸気口５を設けている。排気口４と吸気口５は上記天井１１の端部の一壁面１４の巾方向の中程に対応する位置に巾方向に沿って隣接して配置している。
【００８０】
本実施形態は、いずれの出入口１２が開いても、帯電微粒子水が外に逃げるのを抑制し、搭乗者が出入りする際、及び、搭乗者を乗せてエレベータかご１を昇降する際における帯電微粒子水によるエレベータかご１内の除菌効果の低下を抑制できる。
【００８１】
図１１はエレベータかご１の対向する２壁面１３にそれぞれ出入口１２を設け、出入口１２を設けた壁面１３以外の２壁面のうち一壁面１４の巾方向の中程上方の天井１１部位に排気口４を設けると共に、２壁面のうち他壁面１４の巾方向の中程上方の天井１１部位に吸気口５を設けている。
【００８２】
本実施形態は、帯電微粒子水を含んだ空気をエレベータかご１内で効果的に循環させ、いずれの出入口１２が開いても、帯電微粒子水が外に逃げるのを抑制し、搭乗者が出入りする際、及び、搭乗者を乗せてエレベータかご１を昇降する際における帯電微粒子水によるエレベータかご１内の除菌効果の低下を抑制できる。
【００８３】
なお、前述の例では天井１１に設けた孔にかご内除菌装置２を嵌め込んで下面側が天井１１の下面側に露出し且つ上面側が天井１１の上に突出するように配設した例を示したが、かご内除菌装置２全体を天井１１の下面側に取付けてもよい。
【００８４】
この場合、既存のエレベータかご１の天井１１に簡単にかご内除菌装置２を取付けることができる。
【符号の説明】
【００８５】
１  エレベータかご
２  エレベータかご内除菌装置
３  静電霧化手段
４  排気口
５  吸気口
１１  天井
１２  出入口
１３  壁面
１４  壁面
【図１】
2012071914.tif 000003
【図２】
2012071914.tif 000004
【図３】
2012071914.tif 000005
【図４】
2012071914.tif 000006
【図５】
2012071914.tif 000007
【図６】
2012071914.tif 000008
【図７】
2012071914.tif 000009
【図８】
2012071914.tif 000010
【図９】
2012071914.tif 000011
【図１０】
2012071914.tif 000012
【図１１】
2012071914.tif 000013